(57)【要約】【課題】顧客が満足できる写真を撮影できる可能性がより高い写真撮影装置及び撮影方法を提供する。【解決手段】写真撮影装置のＣＰＵに、デジタルカメラによる撮影の度に、取得された顔画像データを第１画像データファイル４Ａに上書き保存により記憶させるとともに、当該顔画像データに基づく顔画像を表示部に表示させる練習撮影モードを制御させる第１制御プログラム４Ｇと、デジタルカメラによる撮影の度に、取得された顔画像データを第２画像データファイル４Ｂに記憶させ、第２画像データファイル４Ｂに記憶された顔画像データに基づく顔画像を表示部に表示させる本番撮影モードを制御させる第２制御プログラム４Ｈと、を備えた。【選択図】図３
2007328155.tif 000002
【特許請求の範囲】
【請求項１】
被写体を撮影して顔画像データを取得する撮影手段と、前記撮影手段により取得された顔画像データに対して所定の画像処理を施す画像処理手段と、前記画像処理手段により画像処理された顔画像データに基づく写真をプリントするプリント手段と、を備える写真撮影装置において、
前記撮影手段により取得された顔画像データを記憶する第１記憶手段及び第２記憶手段と、
前記撮影手段により取得された顔画像データに基づく顔画像を表示部に表示させる表示制御手段と、
前記撮影手段による撮影の度に、当該撮影手段により取得された顔画像データを前記第１記憶手段に上書き保存により記憶させるとともに、前記表示制御手段に当該顔画像データに基づく顔画像を前記表示部に表示させる練習撮影モードを制御する第１制御手段と、
前記撮影手段による撮影の度に、当該撮影手段により取得された顔画像データを前記第２記憶手段に記憶させ、前記表示制御手段に前記第２記憶手段に記憶された顔画像データに基づく顔画像を前記表示部に表示させる本番撮影モードを制御する第２制御手段と、
前記表示部に表示された複数の顔画像から所望する顔画像を選択するための選択手段と、
を備え、
前記プリント手段は、前記選択手段により選択された顔画像データに基づく写真をプリントすることを特徴とする写真撮影装置。
【請求項２】
前記第２制御手段は、前記撮影手段による撮影の度に、当該撮影手段により取得された顔画像データを前記第２記憶手段に記憶させ、前記画像処理手段に、前記第２記憶手段により記憶された顔画像データに対して、所定の画像処理を行わせ、前記表示制御手段に前記画像処理手段によって画像処理された顔画像データに基づく顔画像を前記表示部に表示させる本番撮影モードを制御することを特徴とする請求項１に記載の写真撮影装置。
【請求項３】
前記第２制御手段は、前記撮影手段による撮影の度に、当該撮影手段により取得された顔画像データを前記第２記憶手段に記憶させ、前記画像処理手段に、前記第１記憶手段に記憶された顔画像データと前記第２記憶手段により記憶された顔画像データに対して、所定の画像処理を行わせ、前記表示制御手段に前記画像処理手段によって画像処理された顔画像データに基づく顔画像を前記表示部に表示させる本番撮影モードを制御することを特徴とする請求項１又は２に記載の写真撮影装置。
【請求項４】
被写体を撮影して顔画像データを取得する撮影手段と、前記撮影手段により取得された顔画像データに対して所定の画像処理を施す画像処理手段と、前記画像処理手段により画像処理された顔画像データに基づく写真をプリントするプリント手段と、を備える写真撮影装置において、
前記撮影手段により取得された顔画像データを記憶する第１記憶手段及び第２記憶手段と、
前記撮影手段により取得された顔画像データに基づく顔画像を表示部に表示させる表示制御手段と、
前記撮影手段による撮影の度に、当該撮影手段により取得された顔画像データを前記第１記憶手段に上書き保存により記憶させるとともに、前記表示制御手段に当該顔画像データに基づく顔画像を前記表示部に表示させる練習撮影モードを制御する第１制御手段と、
前記撮影手段による撮影の度に、当該撮影手段により取得された一乃至複数の顔画像データを前記第２記憶手段に記憶させ、前記画像処理手段に、前記第２記憶手段により記憶された前記一乃至複数の顔画像データに対して所定の画像処理を行わせ、前記表示制御手段に画像処理が行われた一乃至複数の顔画像データに基づく顔画像を表示部に表示させる本番撮影モードを制御する第２制御手段と、
前記表示部に表示された一乃至複数の顔画像から所望する顔画像を選択するための選択手段と、
を備え、
前記プリント手段は、前記選択手段により選択された顔画像データに基づく写真をプリントすることを特徴とする写真撮影装置。
【請求項５】
前記練習撮影モードにおいて、前記第１制御手段は、被写体に対して照明光を照射する照明手段を使用せずに前記撮影手段に顔画像データを取得させ、
前記本番撮影モードにおいて、前記第２制御手段は、前記照明手段を使用して前記撮影手段に顔画像データを取得させることを特徴とする請求項４に記載の写真撮影装置。
【請求項６】
前記練習撮影モードにおける撮影回数及び前記本番撮影モードにおける撮影回数を設定するための設定手段を備えることを特徴とする請求項１〜５の何れか一項に記載の写真撮影装置。
【請求項７】
前記練習撮影モードと前記本番撮影モードとの何れかのモードを選択するためのモード選択手段を備えることを特徴とする請求項１〜６の何れか一項に記載の写真撮影装置。
【請求項８】
請求項３に記載の写真撮影装置における撮影方法であって、
前記第１制御手段により制御される前記練習撮影モードと、前記第２制御手段により制御される前記本番撮影モードと、を備え、
前記練習モードは、
前記撮影手段に被写体を撮影させる練習撮影工程と、
前記練習撮影工程による撮影の度に、前記第１記憶手段に前記練習撮影工程により取得された顔画像データを上書き保存により記憶させる第１記憶工程と、
前記練習撮影工程による撮影の度に、前記表示制御手段に前記第１記憶工程により記憶された顔画像データに基づく顔画像を前記表示部に表示させる第１表示工程と、
を備え、
前記本番撮影モードは、
前記撮影手段に前記本番撮影モードにおける１回目の撮影を行わせる第１本番撮影工程と、
前記第２記憶手段に前記第１本番撮影工程により取得された顔画像データを記憶させる第２記憶工程と、
前記画像処理手段に前記第１記憶手段により記憶された顔画像データと前記１回目の撮影により取得された顔画像データとに所定の画像処理を行わせる第１画像処理工程と、
前記表示制御手段に、前記第１画像処理工程により画像処理が行われた顔画像データに基づく顔画像を前記表示部に表示させる第２表示工程と、
前記選択手段により、前記表示部に表示された顔画像から所望する顔画像が選択される選択工程と、
前記選択工程の後、前記撮影手段に２回目の撮影を行わせる第２本番撮影工程と、
前記第２記憶手段に前記第２本番撮影工程により取得された顔画像データを記憶させる第３記憶工程と、
前記画像処理手段に、前記２回目の撮影により取得させた顔画像データに対して前記所定の画像処理を行わせる第２画像処理工程と、
前記表示制御手段に、前記選択工程により選択された顔画像と、前記第２画像処理工程により画像処理が行われた顔画像データに基づく顔画像とを前記表示部に表示させる第３表示工程と、
を備えることを特徴とする撮影方法。
【発明の詳細な説明】
【技術分野】
【０００１】
本発明は、写真撮影装置及び撮影方法にかかるものである。
【背景技術】
【０００２】
従来、免許証やパスポート，履歴書等に貼付するための証明写真等を撮影するためのボックス型の写真撮影装置が知られている。また、複数回撮影を行って得られた複数の撮影画像を顧客に提示し、当該複数の撮影画像のうち顧客が選択した撮影画像に基づいて、写真をプリントするものも知られている（例えば、特許文献１）。
【特許文献１】特開２００３−１２１９１６号公報
【発明の開示】
【発明が解決しようとする課題】
【０００３】
しかしながら、複数回撮影可能であっても、全ての回数において、顧客が緊張してしまったり、姿勢が悪くなってしまったりする場合があり、顧客が満足できる写真を撮影することは難しかった。
【０００４】
本発明の課題は、顧客が満足できる写真を撮影できる可能性がより高い写真撮影装置及び撮影方法を提供することである。
【課題を解決するための手段】
【０００５】
請求項１に記載の発明は、被写体を撮影して顔画像データを取得する撮影手段と、前記撮影手段により取得された顔画像データに対して所定の画像処理を施す画像処理手段と、前記画像処理手段により画像処理された顔画像データに基づく写真をプリントするプリント手段と、を備える写真撮影装置において、
前記撮影手段により取得された顔画像データを記憶する第１記憶手段及び第２記憶手段と、
前記撮影手段により取得された顔画像データに基づく顔画像を表示部に表示させる表示制御手段と、
前記撮影手段による撮影の度に、当該撮影手段により取得された顔画像データを前記第１記憶手段に上書き保存により記憶させるとともに、前記表示制御手段に当該顔画像データに基づく顔画像を前記表示部に表示させる練習撮影モードを制御する第１制御手段と、
前記撮影手段による撮影の度に、当該撮影手段により取得された顔画像データを前記第２記憶手段に記憶させ、前記表示制御手段に前記第２記憶手段に記憶された顔画像データに基づく顔画像を前記表示部に表示させる本番撮影モードを制御する第２制御手段と、
前記表示部に表示された複数の顔画像から所望する顔画像を選択するための選択手段と、
を備え、
前記プリント手段は、前記選択手段により選択された顔画像データに基づく写真をプリントすることを特徴としている。
【０００６】
請求項２に記載の発明は、請求項１に記載の写真撮影装置において、
前記第２制御手段は、前記撮影手段による撮影の度に、当該撮影手段により取得された顔画像データを前記第２記憶手段に記憶させ、前記画像処理手段に、前記第２記憶手段により記憶された顔画像データに対して、所定の画像処理を行わせ、前記表示制御手段に前記画像処理手段によって画像処理された顔画像データに基づく顔画像を前記表示部に表示させる本番撮影モードを制御することを特徴としている。
【０００７】
請求項３に記載の発明は、請求項１又は２に記載の写真撮影装置において、
前記第２制御手段は、前記撮影手段による撮影の度に、当該撮影手段により取得された顔画像データを前記第２記憶手段に記憶させ、前記画像処理手段に、前記第１記憶手段に記憶された顔画像データと前記第２記憶手段により記憶された顔画像データに対して、所定の画像処理を行わせ、前記表示制御手段に前記画像処理手段によって画像処理された顔画像データに基づく顔画像を前記表示部に表示させる本番撮影モードを制御することを特徴としている。
【０００８】
請求項４に記載の発明は、被写体を撮影して顔画像データを取得する撮影手段と、前記撮影手段により取得された顔画像データに対して所定の画像処理を施す画像処理手段と、前記画像処理手段により画像処理された顔画像データに基づく写真をプリントするプリント手段と、を備える写真撮影装置において、
前記撮影手段により取得された顔画像データを記憶する第１記憶手段及び第２記憶手段と、
前記撮影手段により取得された顔画像データに基づく顔画像を表示部に表示させる表示制御手段と、
前記撮影手段による撮影の度に、当該撮影手段により取得された顔画像データを前記第１記憶手段に上書き保存により記憶させるとともに、前記表示制御手段に当該顔画像データに基づく顔画像を前記表示部に表示させる練習撮影モードを制御する第１制御手段と、
前記撮影手段による撮影の度に、当該撮影手段により取得された一乃至複数の顔画像データを前記第２記憶手段に記憶させ、前記画像処理手段に、前記第２記憶手段により記憶された前記一乃至複数の顔画像データに対して所定の画像処理を行わせ、前記表示制御手段に画像処理が行われた一乃至複数の顔画像データに基づく顔画像を表示部に表示させる本番撮影モードを制御する第２制御手段と、
前記表示部に表示された一乃至複数の顔画像から所望する顔画像を選択するための選択手段と、
を備え、
前記プリント手段は、前記選択手段により選択された顔画像データに基づく写真をプリントすることを特徴としている。
【０００９】
請求項５に記載の発明は、請求項４に記載の写真撮影装置において、
前記練習撮影モードにおいて、前記第１制御手段は、被写体に対して照明光を照射する照明手段を使用せずに前記撮影手段に顔画像データを取得させ、
前記本番撮影モードにおいて、前記第２制御手段は、前記照明手段を使用して前記撮影手段に顔画像データを取得させることを特徴としている。
【００１０】
請求項６に記載の発明は、請求項１〜５の何れか一項に記載の写真撮影装置において、
前記練習撮影モードにおける撮影回数及び前記本番撮影モードにおける撮影回数を設定するための設定手段を備えることを特徴としている。
【００１１】
請求項７に記載の発明は、請求項１〜６の何れか一項に記載の写真撮影装置において、
前記練習撮影モードと前記本番撮影モードとの何れかのモードを選択するためのモード選択手段を備えることを特徴としている。
【００１２】
請求項８に記載の発明は、請求項３に記載の写真撮影装置における撮影方法であって、
前記第１制御手段により制御される前記練習撮影モードと、前記第２制御手段により制御される前記本番撮影モードと、を備え、
前記練習モードは、
前記撮影手段に被写体を撮影させる練習撮影工程と、
前記練習撮影工程による撮影の度に、前記第１記憶手段に前記練習撮影工程により取得された顔画像データを上書き保存により記憶させる第１記憶工程と、
前記練習撮影工程による撮影の度に、前記表示制御手段に前記第１記憶工程により記憶された顔画像データに基づく顔画像を前記表示部に表示させる第１表示工程と、
を備え、
前記本番撮影モードは、
前記撮影手段に前記本番撮影モードにおける１回目の撮影を行わせる第１本番撮影工程と、
前記第２記憶手段に前記第１本番撮影工程により取得された顔画像データを記憶させる第２記憶工程と、
前記画像処理手段に前記第１記憶手段により記憶された顔画像データと前記１回目の撮影により取得された顔画像データとに所定の画像処理を行わせる第１画像処理工程と、
前記表示制御手段に、前記第１画像処理工程により画像処理が行われた顔画像データに基づく顔画像を前記表示部に表示させる第２表示工程と、
前記選択手段により、前記表示部に表示された顔画像から所望する顔画像が選択される選択工程と、
前記選択工程の後、前記撮影手段に２回目の撮影を行わせる第２本番撮影工程と、
前記第２記憶手段に前記第２本番撮影工程により取得された顔画像データを記憶させる第３記憶工程と、
前記画像処理手段に、前記２回目の撮影により取得させた顔画像データに対して前記所定の画像処理を行わせる第２画像処理工程と、
前記表示制御手段に、前記選択工程により選択された顔画像と、前記第２画像処理工程により画像処理が行われた顔画像データに基づく顔画像とを前記表示部に表示させる第３表示工程と、
を備えることを特徴としている。
【発明の効果】
【００１３】
請求項１又は２に記載の発明によれば、写真撮影装置に不慣れな顧客でも、練習撮影モードにおいて、写真撮影に慣れることができるとともにリラックスすることができ、不慣れや緊張による本番撮影における失敗を低減することができ、顧客が満足できる写真を撮影できる可能性がより高くなる。
また、第１制御手段により、撮影手段による撮影の度に、当該撮影手段によって取得された顔画像データが第１記憶手段に上書き保存により記憶されるので、メモリの消費を抑えることができる。
また、第１制御手段により、撮影手段によって取得された顔画像データに対して画像処理がなされずに、当該顔画像データに基づく顔画像が表示部に表示されるように制御されるので、練習撮影モードにおける撮影,表示のサイクルを本番撮影モードに比べ迅速化することができる。
【００１４】
請求項３に記載の発明によれば、請求項１又は２に記載の発明と同様の効果が得られることは勿論のこと、特に、第２制御手段により、練習撮影モードにおいて最後に撮影され第１記憶手段に記憶された顔画像データと、本番撮影モードにおいて撮影され第２記憶手段に記憶された顔画像データとが画像処理され、表示部に表示されるように制御されることとなって、練習撮影モードにおいて取得された顔画像データの方が本番撮影モードにおける撮影により取得された顔画像データよりも良い場合には、練習撮影モードにおいて取得された顔画像データの方を選択することができることとなり、顧客が満足できる写真を撮影できる可能性がより高くなる。
【００１５】
請求項４に記載の発明によれば、写真撮影装置に不慣れな顧客でも、練習撮影モードにおいて、写真撮影に慣れることができるとともにリラックスすることができ、不慣れや緊張による本番撮影における失敗を低減することができ、顧客が満足できる写真を撮影できる可能性がより高くなる。
また、第１制御手段により、撮影手段による撮影の度に、当該撮影手段によって取得された顔画像データが第１記憶手段に上書き保存により記憶されるので、メモリの消費を抑えることができる。
また、第１制御手段により、撮影手段によって取得された顔画像データに対して画像処理がなされずに、当該顔画像データに基づく顔画像が表示部に表示されるように制御されるので、練習撮影モードにおける撮影,表示のサイクルを本番撮影モードに比べ迅速化することができる。
【００１６】
請求項５に記載の発明によれば、請求項４に記載の発明と同様の効果が得られることは勿論のこと、特に、練習撮影モードにおける撮影では、被写体深度が浅くなるためピントが合いにくくなり、表示部に表示された顔画像を見た顧客が姿勢を修正することを促すこととなって、本番撮影モードにおける撮影において姿勢の良い写真が撮影されることとなり、顧客が満足できる写真を撮影できる可能性がより一層高くなる。
【００１７】
請求項６に記載の発明によれば、請求項１〜５の何れか一項に記載の発明と同様の効果が得られることは勿論のこと、特に、設定手段により、練習撮影モードにおける撮影回数及び本番撮影モードにおける撮影回数が設定されるので、写真撮影装置における顧客の滞在時間を制限することができる。
【００１８】
請求項７に記載の発明によれば、請求項１〜６の何れか一項に記載の発明と同様の効果が得られることは勿論のこと、特に、既に写真撮影装置における撮影に習熟している顧客は、モード選択手段により本番撮影モードを選択することにより、練習撮影モードを経ずに本番撮影モードにより撮影を行うことができ、より好適に撮影を行うことができる。
【００１９】
請求項８に記載の発明によれば、第２制御手段により、練習撮影モードにおいて最後に撮影され第１記憶手段に記憶された顔画像データと、本番撮影モードにおける１回目の撮影により取得された顔画像データとが画像処理され、表示部に表示されるように制御されることとなって、練習撮影モードにおいて取得された顔画像データの方が本番撮影モードにおける１回目の撮影により取得された顔画像データよりも良い場合には、練習撮影モードにおいて取得された顔画像データの方を選択することができることとなり、顧客が満足できる写真を撮影できる可能性がより高くなる。
【発明を実施するための最良の形態】
【００２０】
以下、図面を参照して本発明の最良の形態について詳細に説明する。ただし、発明の範囲は、図示例に限定されない。また、限定的な表現をする場合があるが、これに限られるものではない。
【００２１】
（第１の実施形態）
本発明の第１の実施形態に係る写真撮影装置１００は、例えば、図１に示すように、本体部１０，ストロボユニット１１，デジタルカメラ１２，表示部１３，コインメック１４，スピーカ１５，操作部１６，プリンタ１７，裁断ユニット１８，入室センサＳ等を備えて構成されている。
【００２２】
ストロボユニット１１は、例えば、後述するＣＰＵ２からの発光指示の制御信号に従って、撮影室Ｒ内の各部に設置されたストロボ１１ａの発光タイミングや発光量を制御するものであり、ストロボ１１ａはストロボユニット１１の制御に応じて発光を行う。ストロボユニット１１は、ストロボ１１ａとともに、照明手段として機能する。
【００２３】
デジタルカメラ１２は、例えば、シャッター、光学レンズ、ＣＣＤ（Charge  Coupled  Device）等の撮像素子、Ａ／Ｄ変換部等を備えて構成され、光学レンズを介して入力される被写体像を撮像素子により光電変換して画像信号を生成する。そして、Ａ／Ｄ変換部によりアナログ画像信号からデジタル画像データを得て、当該デジタル画像データをＣＰＵ２に出力する。なお、デジタルカメラ１２に代えて動画を記録可能なデジタルビデオカメラが備えられてもよい。
【００２４】
表示部１３は、例えば、ＬＣＤ（Liquid  Crystal  Display）等を備えて構成され、ＣＰＵ２から入力される指示信号に従って操作画面を表示したり、撮影画像のプレ表示を行う。
例えば、表示部１３は、ＣＰＵ２が後述する表示制御プログラム４Ｅを実行することにより制御されて、複数の顔画像を表示する。
また、表示部１３は、後述する練習撮影モードと本番撮影モードとを選択するためのモード選択画面Ｇ１を表示する。表示部１３に表示されたモード選択画面Ｇ１の一例を図２（ａ）に示す。モード選択画面Ｇ１には、例えば、図２（ａ）に示すように、練習撮影モード選択キーＫ１と本番撮影モード選択キーＫ２とが表示されており、顧客が操作部１６を操作して、当該練習撮影モード選択キーＫ１と本番撮影モード選択キーＫ２の何れかを選択することにより、練習撮影モードと本番撮影モードの何れかが選択されるようになっている。
また、表示部１３は、例えば、ＣＰＵ２が後述する設定変更プログラム４Ｉを実行することにより制御されて、設定変更画面Ｇ２を表示する。表示部１３に表示された設定変更画面Ｇ２を図２（ｂ）に示す。設定変更画面Ｇ２には、例えば、図２（ｂ）に示すように、設定項目として、「撮影案内」及び「撮影案内」の「あり」，「なし」、「練習撮影」及び「練習撮影」の「あり」，「なし」、「撮り直し回数（練習撮影）」の入力欄Ｒ１、「撮り直し回数（本番撮影）」の入力欄Ｒ２、キャンセルキーＫ３、決定キーＫ４、テンキーＫ５等が表示されており、オペレータが操作部１６を操作して、当該「撮影案内」の「あり」，「なし」の何れかを選択することにより、撮影案内を行うか否かが設定され、当該「練習撮影」の「あり」，「なし」の何れかを選択することにより、練習撮影モードを行うか否かが設定され、「撮り直し回数（練習撮影）」の入力欄Ｒ１又は「撮り直し回数（本番撮影）」の入力欄Ｒ２を選択してテンキーＫ５を選択することにより、練習撮影モードにおける撮影回数又は本番撮影モードにおける撮影回数が設定されるようになっている。
【００２５】
コインメック１４は、例えば、硬貨や紙幣の入金口、釣銭返金口等を備えた金銭登録機であり、ＣＰＵ２により制御されて、入金口から入金された金額と規定の撮影料金とから釣銭金額を算出し、釣銭金額に応じた硬貨又は紙幣を釣銭返金口に排出する。
【００２６】
スピーカ１５は、例えば、入力される音データに基づいてガイドアナウンス音声等を出力する。
【００２７】
操作部１６は、例えば、表示部１３と一体的に構成されるタッチパネル、撮影室の内壁に設けられた選択ボタン、撮影ボタン等の各種機能ボタン等のハードキー、数字キーが配列されたテンキー等を備えて構成され、顧客により操作されることにより各種の操作信号をＣＰＵ２に入力する。
例えば、操作部１６は、表示部１３に表示された複数の顔画像から所望する顔画像を選択する操作信号をＣＰＵ２に出力し、選択手段として機能する。
また、操作部１６は、例えば、表示部１３に表示されたモード選択画面Ｇ１において、練習撮影モード選択キーＫ１と本番撮影モード選択キーＫ２の何れかを選択する操作信号をＣＰＵ２に出力し、モード選択手段として機能する。
また、例えば、操作部１６は、表示部１３に表示された設定変更画面Ｇ２の設定項目を設定変更するための操作信号をＣＰＵ２に出力する。
【００２８】
プリンタ１７は、例えば、ＣＰＵ２から入力される画像データに基づく画像を記録媒体上にプリントする。
プリンタ１７のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録法式を適用することとしてもよいし、電子写真方式、インクジェット方式やその他のプリント方式であってもよい。また、銀塩写真像を形成するものであってもよい。
【００２９】
裁断ユニット１８は、ＣＰＵ２から入力される裁断画像に基づいて、プリンタ１７から出力された写真に対して裁断処理を行う。裁断処理としては、裁断処理が選択された写真に対して、設定されたプリントサイズにプリントされた写真の輪郭線上に非切断部と切断部とが連続してプリント用紙の厚さ方向を切断するものである。
【００３０】
入室センサＳは、顧客が撮影室に入室したことを検出するものであり、顧客の入室を検出するとその検出信号をＣＰＵ２に出力する。入室センサＳとしては、発光器と受光器とからなる光学式センサ等が適用可能である。
【００３１】
本体部１０は、例えば、Ｉ／Ｏコントロール１，ＣＰＵ（Central  Processing  Unit）２，ＲＡＭ（Random  Access  Memory）３，記憶部４，Ｉ／Ｆ５等を備えて構成され、Ｉ／Ｏコントロール１を介してストロボユニット１１，コインメック１４，スピーカ１５，操作部１６，裁断ユニット１８に接続されるとともに、Ｉ／Ｆ５を介してプリンタ１７に接続されている。
【００３２】
Ｉ／Ｏコントロール１は、例えば、本体部１０と、ストロボユニット１１、コインメック１４、操作部１６、裁断ユニット１８との間で情報のやり取りを仲介するインターフェイスであり、ＣＰＵ２からの制御信号をストロボユニット１１、コインメック１４、裁断ユニット１８に送信するとともに操作部１６からの操作信号をＣＰＵ２に送信する。
【００３３】
ＣＰＵ２は、例えば、記憶部４に格納された処理プログラム等を読み出して、ＲＡＭ３に展開して実行することにより、写真撮影装置１００全体の制御を行う。
【００３４】
ＲＡＭ３は、例えば、ＣＰＵ２により実行された処理プログラム等を、ＲＡＭ３内のプログラム格納領域に展開するとともに、入力データや上記処理プログラムが実行される際に生じる処理結果等をデータ格納領域に格納する。
【００３５】
記憶部４は、例えば、プログラムやデータ等が予め記憶されている記録媒体（図示せず）を有しており、この記録媒体は、例えば、半導体メモリ等で構成されている。また、記憶部４は、ＣＰＵ２が写真撮影装置１００全体を制御する機能を実現させるための各種データ，各種処理プログラム，これらプログラムの実行により処理されたデータ等を記憶する。より具体的には、記憶部４は、例えば、図３に示すように、第１画像データファイル４Ａ，第２画像データファイル４Ｂ，撮影プログラム４Ｃ，画像処理プログラム４Ｄ，表示制御プログラム４Ｅ，プリントプログラム４Ｆ，第１制御プログラム４Ｇ，第２制御プログラム４Ｈ,設定変更プログラム４Ｉ等を格納している。
【００３６】
第１画像データファイル４Ａは、例えば、ＣＰＵ２が後述する第１制御プログラム４Ｇを実行することにより制御されて、デジタルカメラ１２により取得された顔画像データを上書き保存により記憶している。記憶部４は、第１画像データファイル４Ａを格納することにより、第１記憶手段として機能する。
【００３７】
第２画像データファイル４Ｂは、例えば、ＣＰＵ２が後述する第２制御プログラム４Ｈを実行することにより制御されて、デジタルカメラ１２により取得された顔画像データを記憶している。記憶部４は、第２画像データファイル４Ｂを格納することにより、第２記憶手段として機能する。
【００３８】
撮影プログラム４Ｃは、例えば、ＣＰＵ２に、操作部１６から撮影指示の操作信号が入力された場合に、ストロボユニット１１及びデジタルカメラ１２を制御して撮影を行い、撮影により得られた画像データをＣＰＵ２に出力する機能を実現させるプログラムである。ＣＰＵ２は、かかる撮影プログラム４Ｃを実行することにより、デジタルカメラ１２とともに、撮影手段として機能する。
【００３９】
画像処理プログラム４Ｄは、例えば、ＣＰＵ２に、デジタルカメラ１２により取得された画像データに、顔位置検出，顔画像切り出し，顔画像回転，リサイズ，色変換，シャープネス補正等の画像処理を施す機能を実現させるプログラムである。ＣＰＵ２は、かかる画像処理プログラム４Ｄを実行することにより、画像処理手段として機能する。
【００４０】
表示制御プログラム４Ｅは、例えば、ＣＰＵ２に、デジタルカメラ１２により取得され、第１画像データファイル４Ａ，第２画像データファイル４Ｂに記憶された顔画像データに基づく顔画像を表示部１３に表示させる機能を実現させるプログラムである。ＣＰＵ２は、かかる表示制御プログラム４Ｅを実行することにより、表示制御手段として機能する。
【００４１】
プリントプログラム４Ｆは、例えば、ＣＰＵ２に、プリンタ１７を制御して、デジタルカメラ１２により取得され、画像処理を施した顔画像データに基づく写真を所定の記録媒体にプリントさせる機能を実現させるプログラムである。ＣＰＵ２は、かかるプリントプログラム４Ｆを実行することにより、プリンタ１７とともに、プリント手段として機能する。
【００４２】
第１制御プログラム４Ｇは、例えば、ＣＰＵ２に、撮影プログラム４Ｃを実行させることによりデジタルカメラ１２に顔画像データを取得させ、デジタルカメラ１２による撮影の度に、デジタルカメラ１２により取得された顔画像データを第１画像データファイル４Ａに上書き保存により記憶させるとともに、表示制御プログラム４Ｅを実行させて当該顔画像データに基づく顔画像を表示部１３に表示させる練習撮影モードを制御する機能を実現させるプログラムである。ＣＰＵ２は、かかる第１制御プログラム４Ｇを実行することにより、第１制御手段として機能する。
【００４３】
第２制御プログラム４Ｈは、例えば、ＣＰＵ２に、撮影プログラム４Ｃを実行させることによりデジタルカメラ１２に顔画像データを取得させ、デジタルカメラ１２による撮影の度に、デジタルカメラ１２により取得された顔画像データを第２画像データファイル４Ｂに記憶させ、画像処理プログラム４Ｄを実行させることにより、第１画像データファイル４Ａに記憶された顔画像データと第２画像データファイル４Ｂに記憶された顔画像データに対して、所定の画像処理を行い、表示制御プログラム４Ｅを実行させることにより、画像処理を行った複数の顔画像データに基づく顔画像を表示部１３に表示させる本番撮影モードを制御する機能を実現させるプログラムである。
より具体的には、第２制御プログラム４Ｈは、例えば、ＣＰＵ２に、撮影プログラム４Ｃを実行させることによりデジタルカメラ１２に、前記本番撮影モードにおける１回目の撮影を行い、画像処理プログラム４Ｄを実行させることにより、第１画像データファイル４Ａに記憶させた顔画像データと当該１回目の撮影により取得して第２画像データファイル４Ｂに記憶させた顔画像データとに所定の画像処理を行い、表示制御プログラム４Ｅを実行させることにより、当該画像処理が行われた複数の顔画像データに基づく複数の顔画像を表示部１３に表示させ、操作部１６が顧客によって操作されて当該表示部１３に表示された複数の顔画像から所望する顔画像が選択され、再度撮影を行う操作信号が入力された場合に、撮影プログラム４Ｃを実行させることによりデジタルカメラ１２に、本番モードにおける２回目の撮影を行い、画像処理プログラム４Ｄを実行させることにより、当該２回目の撮影により取得して第２画像データファイル４Ｂに記憶させた顔画像データに対して所定の画像処理を行い、表示制御プログラム４Ｅを実行させることにより、１回目の撮影の後に選択された顔画像と、２回目の撮影により取得し画像処理を行った顔画像データに基づく顔画像とを表示部１３に表示させる機能を実現させるプログラムである。
ＣＰＵ２は、かかる第２制御プログラム４Ｈを実行することにより、第２制御手段として機能する。
【００４４】
設定変更プログラム４Ｉは、例えば、ＣＰＵ２に、表示部１３に所定の設定画面を表示させ、操作部１６から入力された設定項目を設定変更するための操作信号に基づいて、設定変更を行う機能を実現させるプログラムである。ここで、設定項目としては、例えば、撮影案内を行うか否か，練習撮影モードを行うか否か，練習撮影モードにおける撮影回数，本番撮影モードにおける撮影回数等がある。ＣＰＵ２は、かかる設定変更プログラム４Ｉを実行することにより、設定手段として機能する。
【００４５】
Ｉ／Ｆ５は、例えば、本体部１０と、プリンタ１７との間で情報のやり取りを仲介するインターフェイスである。
【００４６】
次に、上述のような構成の第１の実施形態に係る写真撮影装置１００における撮影プリント動作の一例を図４，図５に示すフローチャートを参照しながら説明する。
【００４７】
まず、ＣＰＵ２は、表示部１３に、モード選択画面Ｇ１を表示させ、操作部１６から入力される操作信号に基づいて、練習撮影モードが選択されたか否かを判断する（ステップＳ１）。
ステップＳ１において、ＣＰＵ２が、練習撮影モードが選択されなかったと判断した場合には（ステップＳ１；Ｎｏ）、ステップＳ７へ進む。
ステップＳ１において、ＣＰＵ２が、練習撮影モードが選択されたと判断した場合には（ステップＳ１；Ｙｅｓ）、ＣＰＵ２は、例えば、表示部１３及びスピーカ１５を制御して、練習撮影モードの撮影案内動作を行う（ステップＳ２）。
【００４８】
次に、ＣＰＵ２は、第１制御プログラム４Ｇを実行して、撮影プログラム４Ｃを実行することにより、デジタルカメラ１２に被写体である顧客の顔画像データを取得させる（ステップＳ３；練習撮影工程）。
【００４９】
次に、ＣＰＵ２は、ステップＳ３で得られた顔画像データを第１画像データファイル４Ａに上書き保存により記憶させる（ステップＳ４；第１記憶工程）。
【００５０】
次に、ＣＰＵ２は、表示制御プログラム４Ｅを実行することにより、表示部１３を制御して、ステップＳ３で得られた顔画像データに基づく顔画像を表示させる（ステップＳ５；第１表示工程）。
【００５１】
次に、ＣＰＵ２は、操作部１６から本番撮影に移行する操作信号が入力されたか否かを判断する（ステップＳ６）。
ステップＳ６において、ＣＰＵ２が、本番撮影に移行する操作信号が入力されなかったと判断した場合には（ステップＳ６；Ｎｏ）、ステップＳ３に戻る。
ステップＳ６において、ＣＰＵ２が、本番撮影に移行する操作信号が入力されたと判断した場合には（ステップＳ６；Ｙｅｓ）、ＣＰＵ２は、例えば、表示部１３及びスピーカ１５を制御して、本番撮影モードの撮影案内動作を行う（ステップＳ７）。
【００５２】
次に、ＣＰＵ２は、第２制御プログラム４Ｈを実行して、撮影プログラム４Ｃを実行することにより、デジタルカメラ１２に被写体である顧客の顔画像データを取得させる（ステップＳ８；第１本番撮影工程）。
【００５３】
次に、ＣＰＵ２は、ステップＳ８で得られた顔画像データを第２画像データファイル４Ｂに記憶させる（ステップＳ９；第２記憶工程）。
【００５４】
次に、ＣＰＵ２は、画像処理プログラム４Ｄを実行することにより、第１画像データファイル４Ａに記憶された顔画像データと第２画像データファイル４Ｂに記憶された顔画像データに対して、所定の画像処理を行って、複数のプリント画像データを作成する（ステップＳ１０；第１画像処理工程）。
【００５５】
次に、ＣＰＵ２は、表示制御プログラム４Ｅを実行することにより、ステップＳ１０において作成した複数のプリント画像データに基づく複数の顔画像を表示部１３に表示させる（ステップＳ１１；第２表示工程）。
【００５６】
次に、操作部１６から、表示部１３に表示された複数の顔画像のうち何れかの顔画像を選択する操作信号が入力されると、ＣＰＵ２は、選択されなかった顔画像の顔画像データを第１画像データファイル４Ａ又は第２画像データファイル４Ｂから削除する（ステップＳ１２；選択工程）。
【００５７】
次に、ＣＰＵ２は、操作部１６から、再度撮影を行う操作信号が入力されたか否かを判断する（ステップＳ１３）。
ステップＳ１３において、ＣＰＵ２が、再度撮影を行う操作信号が入力されなかったと判断した場合には（ステップＳ１３；Ｎｏ）、ＣＰＵ２は、プリントプログラム４Ｆを実行することにより、プリンタ１７を制御して、ステップＳ１２において選択された顔画像のプリント画像データに基づく写真をプリントさせて（ステップＳ１４）、本処理を終了する。
ステップＳ１３において、ＣＰＵ２が、再度撮影を行う操作信号が入力されたと判断した場合には（ステップＳ１３；Ｙｅｓ）、ＣＰＵ２は、撮影プログラム４Ｃを実行することにより、デジタルカメラ１２に被写体である顧客の顔画像データを取得させる（ステップＳ１５；第２本番撮影工程）。
【００５８】
次に、ＣＰＵ２は、ステップＳ８で得られた顔画像データを第２画像データファイル４Ｂに記憶させる（ステップＳ１６；第３記憶工程）。
【００５９】
次に、ＣＰＵ２は、画像処理プログラム４Ｄを実行することにより、ステップＳ１５において取得し、ステップＳ１６において第２画像データファイル４Ｂに記憶された顔画像データに対して、所定の画像処理を行って、プリント画像データを作成する（ステップＳ１７；第２画像処理工程）。
【００６０】
次に、ＣＰＵ２は、表示制御プログラム４Ｅを実行することにより、操作部１６が操作されることにより選択された顔画像と、ステップＳ１７において作成したプリント画像データに基づく複数の顔画像とを表示部１３に表示させる（ステップＳ１８；第３表示工程）。
【００６１】
次に、操作部１６から、表示部１３に表示された複数の顔画像のうち何れかの顔画像を選択する操作信号が入力されると、ＣＰＵ２は、選択されなかった顔画像の顔画像データを第１画像データファイル４Ａ又は第２画像データファイル４Ｂから削除する（ステップＳ１９；選択工程）。
【００６２】
次に、ＣＰＵ２は、操作部１６から、再度撮影を行う操作信号が入力されたか否かを判断する（ステップＳ２０）。
ステップＳ２０において、ＣＰＵ２が、再度撮影を行う操作信号が入力されたと判断した場合には（ステップＳ２０；Ｙｅｓ）、ステップＳ１５に戻る。
ステップＳ２０において、ＣＰＵ２が、再度撮影を行う操作信号が入力されなかったと判断した場合には（ステップＳ２０；Ｎｏ）、ＣＰＵ２は、プリントプログラム４Ｆを実行することにより、プリンタ１７を制御して、ステップＳ１９において選択された顔画像のプリント画像データに基づく写真をプリントさせて（ステップＳ２１）、本処理を終了する。
【００６３】
以上に説明した、第１の実施形態に係る写真撮影装置１００によれば、ＣＰＵ２が第１制御プログラム４Ｇを実行することにより、デジタルカメラ１２による撮影の度に、当該デジタルカメラ１２により取得された顔画像データが第１画像データファイル４Ａに上書き保存により記憶されるとともに、ＣＰＵ２により表示制御プログラム４Ｅが実行されて、当該顔画像データに基づく顔画像が表示部１３に表示される練習撮影モードが制御され、ＣＰＵ２が第２制御プログラム４Ｈを実行することにより、デジタルカメラ１２による撮影の度に、当該デジタルカメラ１２により取得された顔画像データが第２画像データファイル４Ｂに記憶され、ＣＰＵ２により画像処理プログラム４Ｄが実行されて、第１画像データファイル４Ａに記憶された顔画像データと第２画像データファイル４Ｂにより記憶された顔画像データに対して、所定の画像処理が行われ、ＣＰＵ２により表示制御プログラム４Ｅが実行されて、画像処理された顔画像データに基づく顔画像が表示部１３に表示される本番撮影モードが制御され、操作部１６により、表示部１３に表示された複数の顔画像から所望する顔画像が選択され、ＣＰＵ２がプリントプログラム４Ｆを実行することにより、操作部１６により選択された顔画像データに基づく写真がプリントされるので、写真撮影装置１００に不慣れな顧客でも、練習撮影モードにおいて、写真撮影に慣れることができるとともにリラックスすることができ、不慣れや緊張による本番撮影における失敗を低減することができ、顧客が満足できる写真を撮影できる可能性がより高くなる。
また、ＣＰＵ２が第１制御プログラム４Ｇを実行することにより、デジタルカメラ１２による撮影の度に、当該デジタルカメラ１２によって取得された顔画像データが第１画像データファイル４Ａに上書き保存により記憶されるので、メモリの消費を抑えることができる。
また、ＣＰＵ２が第１制御プログラム４Ｇを実行することにより、デジタルカメラ１２によって取得された顔画像データに対して画像処理がなされずに、当該顔画像データに基づく顔画像が表示部１３に表示されるように制御されるので、練習撮影モードにおける撮影,表示のサイクルを本番撮影モードに比べ迅速化することができる。
【００６４】
また、ＣＰＵ２が設定変更プログラム４Ｉを実行することにより、練習撮影モードにおける撮影回数及び本番撮影モードにおける撮影回数が設定されるので、写真撮影装置１００における顧客の滞在時間を制限することができる。
【００６５】
また、操作部１６により、練習撮影モードと本番撮影モードとの何れかのモードが選択されるので、既に写真撮影装置１００における撮影に習熟している顧客は、操作部１６により本番撮影モードを選択することにより、練習撮影モードを経ずに本番撮影モードにより撮影を行うことができ、より好適に撮影を行うことができる。
【００６６】
また、第１の実施形態に係る写真撮影装置１００における撮影方法によれば、練習モードにおいて、練習撮影工程により、デジタルカメラ１２によって被写体が撮影され、第1記憶工程により、練習撮影工程による撮影の度に、第１画像データファイル４Ａに練習撮影工程により取得された顔画像データが上書き保存により記憶され、第１表示工程により、練習撮影工程による撮影の度に、ＣＰＵ２が表示制御プログラム４Ｅを実行することによって第１画像データファイル４Ａに記憶された顔画像データに基づく顔画像が表示部１３に表示され、本番撮影モードにおいて、第１本番撮影工程により、デジタルカメラ１２によって本番撮影モードにおける１回目の撮影が行われ、第２記憶工程により、第２画像データファイル４Ｂに第１本番撮影工程により取得された顔画像データが記憶され、第１画像処理工程により、ＣＰＵ２が画像処理プログラム４Ｄを実行することによって、第１画像データファイル４Ａに記憶された顔画像データと１回目の撮影により取得された顔画像データとに所定の画像処理が行われ、第２表示工程により、ＣＰＵ２が表示制御プログラム４Ｅを実行することによって、第１画像処理工程により画像処理が行われた顔画像データに基づく顔画像が表示部１３に表示され、選択工程により、操作部１６により、表示部１３に表示された顔画像から所望する顔画像が選択され、第２本番撮影工程により、選択工程の後、デジタルカメラ１２によって２回目の撮影が行われ、第３記憶工程により、第２画像データファイル４Ｂに第２本番撮影工程により取得された顔画像データが記憶され、第２画像処理工程により、ＣＰＵ２が画像処理プログラム４Ｄを実行することによって、２回目の撮影により取得させた顔画像データに対して所定の画像処理が行われ、第３表示工程により、ＣＰＵ２が表示制御プログラム４Ｅを実行することによって、選択工程により選択された顔画像と、第２画像処理工程により画像処理が行われた顔画像データに基づく顔画像とが表示部１３に表示されるので、ＣＰＵ２が第２制御プログラム４Ｈを実行することにより、練習撮影モードにおいて最後に撮影され第１画像データファイル４Ａに記憶された顔画像データと、本番撮影モードにおける１回目の撮影により取得された顔画像データとが画像処理され、表示部１３に表示されるように制御されることとなって、練習撮影モードにおいて取得された顔画像データの方が本番撮影モードにおける１回目の撮影により取得された顔画像データよりも良い場合には、練習撮影モードにおいて取得された顔画像データの方を選択することができることとなり、顧客が満足できる写真を撮影できる可能性がより高くなる。
【００６７】
（第２の実施形態）
第２の実施形態に係る写真撮影装置２００は、例えば、図６に示すように、記憶部４０の構成が、第１の実施形態に係る写真撮影装置１００と異なるので、同一の構成については同一の符号を付すとともに、その説明を省略する。
【００６８】
記憶部４０は、例えば、プログラムやデータ等が予め記憶されている記録媒体（図示せず）を有しており、この記録媒体は、例えば、半導体メモリ等で構成されている。また、記憶部４０は、ＣＰＵ２が写真撮影装置２００全体を制御する機能を実現させるための各種データ，各種処理プログラム，これらプログラムの実行により処理されたデータ等を記憶する。より具体的には、記憶部４０は、例えば、図７に示すように、第１画像データファイル４Ａ，第２画像データファイル４Ｂ，撮影プログラム４Ｃ，画像処理プログラム４Ｄ，表示制御プログラム４Ｅ，プリントプログラム４Ｆ，第１制御プログラム４０Ｇ，第２制御プログラム４０Ｈ,設定変更プログラム４Ｉ等を格納している。
【００６９】
第１制御プログラム４０Ｇは、例えば、ＣＰＵ２に、撮影プログラム４Ｃを実行させることによりデジタルカメラ１２に顔画像データを取得させ、デジタルカメラ１２による撮影の度に、デジタルカメラ１２により取得された顔画像データを第１画像データファイル４Ａに上書き保存により記憶させるとともに、表示制御プログラム４Ｅを実行させて当該顔画像データに基づく顔画像を表示部１３に表示させる練習撮影モードを制御する機能を実現させるプログラムである。ＣＰＵ２は、かかる第１制御プログラム４０Ｇを実行することにより、第１制御手段として機能する。
【００７０】
第２制御プログラム４０Ｈは、例えば、ＣＰＵ２に、撮影プログラム４Ｃを実行させることによりデジタルカメラ１２に顔画像データを取得させ、デジタルカメラ１２による撮影の度に、デジタルカメラ１２により取得された一乃至複数の顔画像データを第２画像データファイル４Ｂに記憶させ、画像処理プログラム４Ｄを実行させることにより、第２画像データファイル４Ｂに記憶された一乃至複数の顔画像データに対して、所定の画像処理を行い、表示制御プログラム４Ｅを実行させることにより、画像処理を行った一乃至複数の顔画像データに基づく顔画像を表示部１３に表示させる本番撮影モードを制御する機能を実現させるプログラムである。ＣＰＵ２は、かかる第２制御プログラム４０Ｈを実行することにより、第２制御手段として機能する。
【００７１】
次に、上述のような構成の第２の実施形態に係る写真撮影装置２００における撮影プリント動作の一例を図８に示すフローチャートを参照しながら説明する。
【００７２】
まず、ＣＰＵ２は、表示部１３に、モード選択画面Ｇ１を表示させ、操作部１６から入力される操作信号に基づいて、練習撮影モードが選択されたか否かを判断する（ステップＳ１０１）。
ステップＳ１０１において、ＣＰＵ２が、練習撮影モードが選択されなかったと判断した場合には（ステップＳ１０１；Ｎｏ）、ステップＳ１０７へ進む。
ステップＳ１０１において、ＣＰＵ２が、練習撮影モードが選択されたと判断した場合には（ステップＳ１０１；Ｙｅｓ）、ＣＰＵ２は、例えば、表示部１３及びスピーカ１５を制御して、練習撮影モードの撮影案内動作を行う（ステップＳ１０２）。
【００７３】
次に、ＣＰＵ２は、第１制御プログラム４０Ｇを実行して、撮影プログラム４Ｃを実行することにより、ストロボユニット１１を使用せずに、デジタルカメラ１２に被写体である顧客の顔画像データを取得させる（ステップＳ１０３；練習撮影）。
【００７４】
次に、ＣＰＵ２は、ステップＳ１０３で得られた顔画像データを第１画像データファイル４Ａに上書き保存により記憶させる（ステップＳ１０４）。
【００７５】
次に、ＣＰＵ２は、表示制御プログラム４Ｅを実行することにより、表示部１３を制御して、ステップＳ１０３で得られた顔画像データに基づく顔画像を表示させる（ステップＳ１０５）。
【００７６】
次に、ＣＰＵ２は、操作部１６から本番撮影に移行する操作信号が入力されたか否かを判断する（ステップＳ１０６）。
ステップＳ１０６において、ＣＰＵ２が、本番撮影に移行する操作信号が入力されなかったと判断した場合には（ステップＳ１０６；Ｎｏ）、ステップＳ１０３に戻る。
ステップＳ１０６において、ＣＰＵ２が、本番撮影に移行する操作信号が入力されたと判断した場合には（ステップＳ１０６；Ｙｅｓ）、ＣＰＵ２は、例えば、表示部１３及びスピーカ１５を制御して、本番撮影モードの撮影案内動作を行う（ステップＳ１０７）。
【００７７】
次に、ＣＰＵ２は、第２制御プログラム４０Ｈを実行して、撮影プログラム４Ｃを実行することにより、ストロボユニット１１を使用して、デジタルカメラ１２に被写体である顧客の顔画像データを複数回（例えば、２回）取得させる（ステップＳ１０８；本番撮影）。
【００７８】
次に、ＣＰＵ２は、ステップＳ８で得られた一乃至複数の顔画像データを第２画像データファイル４Ｂに記憶させる（ステップＳ１０９）。
【００７９】
次に、ＣＰＵ２は、画像処理プログラム４Ｄを実行することにより、第２画像データファイル４Ｂに記憶された一乃至複数の顔画像データに対して、所定の画像処理を行って、複数のプリント画像データを作成する（ステップＳ１１０）。
【００８０】
次に、ＣＰＵ２は、表示制御プログラム４Ｅを実行することにより、ステップＳ１１０において作成した複数のプリント画像データに基づく複数の顔画像を表示部１３に表示させる（ステップＳ１１１）。
【００８１】
次に、操作部１６から、表示部１３に表示された複数の顔画像のうち何れかの顔画像を選択する操作信号が入力されると、ＣＰＵ２は、選択されなかった顔画像の顔画像データを第２画像データファイル４Ｂから削除する（ステップＳ１１２）。
【００８２】
次に、ＣＰＵ２は、操作部１６から、再度撮影を行う操作信号が入力されたか否かを判断する（ステップＳ１１３）。
ステップＳ１１３において、ＣＰＵ２が、再度撮影を行う操作信号が入力されなかったと判断した場合には（ステップＳ１１３；Ｎｏ）、ＣＰＵ２は、プリントプログラム４Ｆを実行することにより、プリンタ１７を制御して、ステップＳ１１２において選択された顔画像のプリント画像データに基づく写真をプリントさせて（ステップＳ１１４）、本処理を終了する。
ステップＳ１１３において、ＣＰＵ２が、再度撮影を行う操作信号が入力されたと判断した場合には（ステップＳ１１３；Ｙｅｓ）、ＣＰＵ２は、撮影プログラム４Ｃを実行することにより、ストロボユニット１１を使用して、デジタルカメラ１２に被写体である顧客の顔画像データを取得させる（ステップＳ１１５；本番撮影）。
【００８３】
次に、ＣＰＵ２は、ステップＳ１１５において得られた顔画像データを第２画像データファイル４Ｂに記憶させる（ステップＳ１１６）。
【００８４】
次に、ＣＰＵ２は、画像処理プログラム４Ｄを実行することにより、ステップＳ１１６において第２画像データファイル４Ｂに記憶された顔画像データに対して、所定の画像処理を行って、プリント画像データを作成する（ステップＳ１１７）。
【００８５】
次に、ＣＰＵ２は、表示制御プログラム４Ｅを実行することにより、操作部１６が顧客により操作されることにより選択された顔画像とステップＳ１１７において作成した複数のプリント画像データに基づく顔画像とを表示部１３に表示させる（ステップＳ１１８）。
【００８６】
次に、操作部１６から、表示部１３に表示された複数の顔画像のうち何れかの顔画像を選択する操作信号が入力されると、ＣＰＵ２は、選択されなかった顔画像の顔画像データを第２画像データファイル４Ｂから削除する（ステップＳ１１９）。
【００８７】
次に、ＣＰＵ２は、操作部１６から、再度撮影を行う操作信号が入力されたか否かを判断する（ステップＳ１２０）。
ステップＳ１２０において、ＣＰＵ２が、再度撮影を行う操作信号が入力されたと判断した場合には（ステップＳ１２０；Ｙｅｓ）、ステップＳ１１５に戻る。
ステップＳ１２０において、ＣＰＵ２が、再度撮影を行う操作信号が入力されなかったと判断した場合には（ステップＳ１２０；Ｎｏ）、ＣＰＵ２は、プリントプログラム４Ｆを実行することにより、プリンタ１７を制御して、ステップＳ１１９において選択された顔画像のプリント画像データに基づく写真をプリントさせて（ステップＳ１２１）、本処理を終了する。
【００８８】
以上に説明した、第２の実施形態に係る写真撮影装置２００によれば、ＣＰＵ２が第１制御プログラム４０Ｇを実行することにより、デジタルカメラ１２による撮影の度に、当該デジタルカメラ１２により取得された顔画像データが第１画像データファイル４Ａに上書き保存により記憶されるとともに、ＣＰＵ２により表示制御プログラム４Ｅが実行されて、当該顔画像データに基づく顔画像が表示部１３に表示される練習撮影モードが制御され、ＣＰＵ２が第２制御プログラム４０Ｈを実行することにより、デジタルカメラ１２による撮影の度に、当該デジタルカメラ１２により取得された一乃至複数の顔画像データが第２画像データファイル４Ｂに記憶され、ＣＰＵ２により画像処理プログラム４Ｄが実行されて、第２画像データファイル４Ｂにより記憶された一乃至複数の顔画像データに対して所定の画像処理が行われ、ＣＰＵ２により表示制御プログラム４Ｅが実行されて、画像処理が行われた一乃至複数の顔画像データに基づく顔画像が表示部１３に表示される本番撮影モードが制御され、操作部１６により、表示部１３に表示された一乃至複数の顔画像から所望する顔画像が選択され、ＣＰＵ２がプリントプログラム４Ｆを実行することにより、操作部１６により選択された顔画像データに基づく写真がプリントされるので、写真撮影装置２００に不慣れな顧客でも、練習撮影モードにおいて、写真撮影に慣れることができるとともにリラックスすることができ、不慣れや緊張による本番撮影における失敗を低減することができ、顧客が満足できる写真を撮影できる可能性がより高くなる。
また、ＣＰＵ２が第１制御プログラム４０Ｇを実行することにより、デジタルカメラ１２による撮影の度に、当該デジタルカメラ１２によって取得された顔画像データが第１画像データファイル４Ａに上書き保存により記憶されるので、メモリの消費を抑えることができる。
また、ＣＰＵ２が第１制御プログラム４０Ｇを実行することにより、デジタルカメラ１２によって取得された顔画像データに対して画像処理がなされずに、当該顔画像データに基づく顔画像が表示部１３に表示されるように制御されるので、練習撮影モードにおける撮影,表示のサイクルを本番撮影モードに比べ迅速化することができる。
【００８９】
また、練習撮影モードにおいて、ＣＰＵ２は第１制御プログラム４０Ｇを実行することにより、被写体に対して照明光を照射するストロボユニット１１を使用せずにデジタルカメラ１２に顔画像データを取得させ、本番撮影モードにおいて、ＣＰＵ２は第２制御プログラム４０Ｈを実行することにより、ストロボユニット１１を使用してデジタルカメラ１２に顔画像データを取得させるので、練習撮影モードにおける撮影では、被写体深度が浅くなるためピントが合いにくくなり、表示部１３に表示された顔画像を見た顧客が姿勢を修正することを促すこととなって、本番撮影モードにおける撮影において姿勢の良い写真が撮影されることとなり、顧客が満足できる写真を撮影できる可能性がより一層高くなる。
【００９０】
また、ＣＰＵ２が設定変更プログラム４Ｉを実行することにより、練習撮影モードにおける撮影回数及び本番撮影モードにおける撮影回数が設定されるので、写真撮影装置２００における顧客の滞在時間を制限することができる。
【００９１】
また、操作部１６により、練習撮影モードと本番撮影モードとの何れかのモードが選択されるので、既に写真撮影装置２００における撮影に習熟している顧客は、モード選択手段により本番撮影モードを選択することにより、練習撮影モードを経ずに本番撮影モードにより撮影を行うことができ、より好適に撮影を行うことができる。
【００９２】
なお、第２実施形態の撮影プリント動作のステップＳ１０８において、本番撮影モードにおける撮影回数（撮り直し回数）分の全ての撮影が行われ、ステップＳ１１３の判断が省略されて、ステップＳ１１４において、ステップＳ１１２により選択された顔画像がプリントされるようにしてもよい。この場合には、ステップＳ１１５以降のステップは省略される。
また、本実施形態における本番撮影モードでは、デジタルカメラ１２による撮影の度に、撮影により取得された顔画像データに対して画像処理が行われ、画像処理された顔画像データに基づく顔画像が表示部１３に表示されることとしたが、デジタルカメラ１２による撮影の度に画像処理が行われなくてもよく、画像処理されていない顔画像データに基づく顔画像が表示部１３に表示されて、表示部１３に表示された複数の顔画像の中から最終的に選択された顔画像の顔画像データに対してのみ画像処理が行われてもよい。
【図面の簡単な説明】
【００９３】
【図１】本発明の第１の実施形態に係る写真撮影装置の構成を示すブロック図である。
【図２】本発明の第１の実施形態に係る写真撮影装置の表示部に表示されるモード選択画面の一例示す図（図２（ａ））、設定画面の一例を示す図（図２（ｂ））である。
【図３】本発明の第１の実施形態に係る写真撮影装置の記憶部の構成を示すブロック図である。
【図４】本発明の第１の実施形態に係る写真撮影装置の撮影プリント動作の一例を説明するためのフローチャートである。
【図５】本発明の第１の実施形態に係る写真撮影装置の撮影プリント動作の一例を説明するためのフローチャートである。
【図６】本発明の第２の実施形態に係る写真撮影装置の構成を示すブロック図である。
【図７】本発明の第２の実施形態に係る写真撮影装置の記憶部の構成を示すブロック図である。
【図８】本発明の第２の実施形態に係る写真撮影装置の撮影プリント動作の一例を説明するためのフローチャートである。
【図９】本発明の第２の実施形態に係る写真撮影装置の撮影プリント動作の一例を説明するためのフローチャートである。
【符号の説明】
【００９４】
２  ＣＰＵ（撮影手段，画像処理手段，表示制御手段，プリント手段，第１制御手段，第２制御手段，設定手段）
４  記憶部（第１記憶手段，第２記憶手段）
４Ａ  第１画像データファイル（第１記憶手段）
４Ｂ  第２画像データファイル（第２記憶手段）
４Ｃ  撮影プログラム（撮影手段）
４Ｄ  画像処理プログラム（画像処理手段）
４Ｅ  表示制御プログラム（表示制御手段）
４Ｆ  プリントプログラム（プリント手段）
４Ｇ，４０Ｇ  第１制御プログラム（第１制御手段）
４Ｈ，４０Ｈ  第２制御プログラム（第２制御手段）
４Ｉ  設定変更プログラム（設定手段）
１１  ストロボユニット（照明手段）
１２  デジタルカメラ（撮影手段）
１３  表示部
１６  操作部（選択手段，モード選択手段）
１７  プリンタ（プリント手段）
１００，２００  写真撮影装置
【図１】
2007328155.tif 000003
【図２】
2007328155.tif 000004
【図３】
2007328155.tif 000005
【図４】
2007328155.tif 000006
【図５】
2007328155.tif 000007
【図６】
2007328155.tif 000008
【図７】
2007328155.tif 000009
【図８】
2007328155.tif 000010
【図９】
2007328155.tif 000011